(57)【要約】    【課題】      複数の受信アンテナを備える基地局において各受信アンテナの設置環境に応じた受信処理が行えるようにすること。    【解決手段】  伝搬遅延量メモリ１０２ａ、１０２ｂには、複数の逆拡散部１０３ａ、１０３ｂ毎に受信アンテナ１０１ａ、１０１ｂの設置環境に対応したパス位相が予め保存されている。これによって、パスサーチ処理が不要の場合は、受信アンテナの設置環境に応じて設定された固定のパス位相を用いて受信処理を行うことができるようになる。  【選択図】      図１
2006148596.tif 000002
【特許請求の範囲】
【請求項１】
各受信アンテナの設置環境に対応したパス位相を記憶する手段と、前記パス位相を用いて各受信タイミングを設定する手段と、を具備することを特徴とする基地局受信装置。
【請求項２】
各受信アンテナの設置環境に対応したパス位相を記憶する手段と、各受信アンテナの受信信号についてパスサーチ処理を行う手段と、各受信アンテナの設置環境に対応した窓幅を設定し、設定した前記窓幅に応じて、前記パスサーチ処理によるパス位相と記憶される前記パス位相との何れか一方を選択する手段と、選択された前記パス位相を用いて各受信タイミングを設定する手段と、を具備することを特徴とする基地局受信装置。
【請求項３】
各受信アンテナの受信信号についてパスサーチ処理において遅延プロファイル生成に必要な遅延プロファイルサンプリング間隔及び遅延プロファイル更新周期を設定する手段、を具備することを特徴とする請求項２記載の基地局受信装置。
【請求項４】
前記パスサーチ処理を用いた受信処理でのパス設定範囲、受信品質及びフェージング測定結果を保存し、この保存結果に基づき、前記選択する手段に対してパスサーチ処理を行うか否かの設定、及びパスサーチ処理を行う場合の窓幅の設定を行い、前記遅延プロファイルタイミングを設定する手段に対してパスサーチ処理を行う場合の遅延プロファイルサンプリング間隔を設定する手段、を具備することを特徴とする請求項３記載の基地局受信装置。
【発明の詳細な説明】
【技術分野】
【０００１】
本発明は、直接拡散符号分割多元接続（ＤＳ−ＣＤＭＡ）方式を用いた移動体通信システムにおける基地局が装備する基地局受信装置に関する。
【背景技術】
【０００２】
ＤＳ−ＣＤＭＡ方式を用いた移動体通信システムにおける基地局では、複数の受信アンテナを備え、各受信アンテナの設置環境に応じて受信可能なセル範囲を限定できるようにしている。
【特許文献１】特開２００１−２０３６２３号公報
【発明の開示】
【発明が解決しようとする課題】
【０００３】
しかしながら、従来では、受信可能なセル範囲を限定できる場合でも、全アンテナを用いて同一の窓幅によるパスサーチ処理を行っているので、不要な遅延プロファイル演算処理が生じていた。
【０００４】
本発明は、かかる点に鑑みてなされたものであり、複数の受信アンテナを備える基地局において各受信アンテナの設置環境に応じた受信処理が行える基地局受信装置を提供することを目的とする。
【課題を解決するための手段】
【０００５】
かかる課題を解決するため、本発明に係る基地局受信装置は、各受信アンテナの設置環境に対応したパス位相を記憶する手段と、前記パス位相を用いて各受信タイミングを設定する手段とを具備する構成を採る。
【０００６】
この構成によれば、パスサーチ処理が不要の場合は、各受信アンテナの設置環境に応じて設定された固定のパス位相を用いて受信処理を行うようにしたので、遅延プロファイル演算の処理量が削減できる。
【０００７】
本発明に係る基地局受信装置は、各受信アンテナの設置環境に対応したパス位相を記憶する手段と、各受信アンテナの受信信号についてパスサーチ処理を行う手段と、各受信アンテナの設置環境に対応した窓幅を設定し、設定した前記窓幅に応じて、前記パスサーチ処理によるパス位相と記憶される前記パス位相との何れか一方を選択する手段と、選択された前記パス位相を用いて各受信タイミングを設定する手段とを具備する構成を採る。
【０００８】
この構成によれば、各受信アンテナの設置環境に応じてパスサーチ処理による受信処理を行うか、固定パスによる受信処理を行うかを選択できる。
【０００９】
本発明に係る基地局受信装置は、上記の発明において、各受信アンテナの受信信号についてパスサーチ処理において遅延プロファイル生成に必要な遅延プロファイルサンプリング間隔及び遅延プロファイル更新周期を設定する手段を具備する構成を採る。
【００１０】
この構成によれば、各受信アンテナの設置環境に応じて遅延プロファイルタイミングを制御するようにしたので、パスサーチ処理での処理量が削減できる。
【００１１】
本発明に係る基地局受信装置は、上記の発明において、前記パスサーチ処理を用いた受信処理でのパス設定範囲、受信品質及びフェージング測定結果を保存し、この保存結果に基づき、前記選択する手段に対してパスサーチ処理を行うか否かの設定、及びパスサーチ処理を行う場合の窓幅の設定を行い、前記遅延プロファイルタイミングを設定する手段に対してパスサーチ処理を行う場合の遅延プロファイルサンプリング間隔を設定する手段を具備する構成を採る。
【００１２】
この構成によれば、各受信アンテナの設置環境に応じたパスサーチ処理を行う場合の初期設定が行えるようにしたので、手作業による初期設定が不要となりメンテナンスの負担を軽減することができる。
【発明の効果】
【００１３】
本発明によれば、各受信アンテナの設置環境に応じた受信処理が行えるようになる。
【発明を実施するための最良の形態】
【００１４】
本発明の骨子は、各受信アンテナの設置環境に応じて、パスサーチ処理に用いた受信処理と固定のパス位相を用いた受信処理とを選択できるようにすることである。
【００１５】
以下、本発明の実施の形態について図面を参照して詳細に説明する。
【００１６】
（実施の形態１）
図１は、本発明の実施の形態１に係る基地局受信装置の構成を示すブロック図である。図１に示す本実施の形態１に係る基地局受信装置１００は、複数の受信アンテナとして例えば２つの受信アンテナ１０１ａ、１０１ｂと、受信アンテナ毎に設けられる伝搬遅延量メモリ１０２ａ、１０２ｂ、及び複数の逆拡散部１０３ａ、１０３ｂと、複数の逆拡散部１０３ａ、１０３ｂの出力を受ける復調部１０４とを備えている。
【００１７】
伝搬遅延量メモリ１０２ａには、複数の逆拡散部１０３ａ毎に受信アンテナ１０１ａの設置環境に対応したパス位相が予め保存されている。また、伝搬遅延量メモリ１０２ｂには、複数の逆拡散部１０３ｂ毎に受信アンテナ１０１ｂの設置環境に対応したパス位相が予め保存されている。
【００１８】
複数の逆拡散部１０３ａは、それぞれ、受信アンテナ１０１ａから入力する受信信号を伝搬遅延量メモリ１０２ａにて指定された位相分遅延させ、拡散コードを用いて逆拡散を行う。
【００１９】
複数の逆拡散部１０３ｂは、それぞれ、受信アンテナ１０１ｂから入力する受信信号を伝搬遅延量メモリ１０２ｂにて指定された位相分遅延させ、拡散コードを用いて逆拡散を行う。
【００２０】
復調部１０４は、複数の逆拡散部１０３ａ、１０３ｂの各出力を受けて、同期検波及びＲＡＫＥ合成を行い、受信信号を復調する。
【００２１】
このように、本実施の形態１によれば、パスサーチ処理が不要の場合は、受信アンテナの設置環境に応じて設定された固定のパス位相を用いて受信処理を行うようにしたので、遅延プロファイル演算の処理量が削減できる。
【００２２】
（実施の形態２）
図２は、本発明の実施の形態２に係る基地局受信装置の構成を示すブロック図である。なお、図２では、図１（実施の形態１）に示した構成要素と同一ないしは同等である構成要素には同一の符号が付されている。ここでは、本実施の形態２に関わる部分を中心に説明する。
【００２３】
図２に示す本実施の形態２に係る基地局受信装置２００では、図１（実施の形態１）に示した構成において、パスサーチ部２０１ａ、２０１ｂと、切り替えスイッチ部２０２ａ、２０２ｂとが追加されている。
【００２４】
切り替えスイッチ部２０２ａは、受信アンテナ１０１ａの設置環境に対応した窓幅を設定し、設定した窓幅において、パスサーチを行うときはパスサーチ部２０１ａを選択して複数の逆拡散部１０３ａに接続し、パスサーチを行わないときは伝播遅延メモリ１０２ａを選択して複数の逆拡散部１０３ａに接続するように構成されている。
【００２５】
切り替えスイッチ部２０２ｂは、受信アンテナ１０１ｂの設置環境に対応した窓幅を設定し、設定した窓幅において、パスサーチを行うときはパスサーチ部２０１ｂを選択して複数の逆拡散部１０３ｂに接続し、パスサーチを行わないときは伝播遅延メモリ１０２ｂを選択して複数の逆拡散部１０３ｂに接続するように構成されている。
【００２６】
パスサーチ部２０１ａは、切り替えスイッチ部２０２ａが選択したときにのみ動作し、受信アンテナ１０１ａの受信信号から遅延プロファイルを生成し、そのピークをパス位相として複数の逆拡散部１０３ａに設定する。
【００２７】
パスサーチ２０１ｂは、切り替えスイッチ部２０２ｂが選択したときにのみ動作し、受信アンテナ１０１ｂの受信信号から遅延プロファイルを生成し、そのピークをパス位相として複数の逆拡散部１０３ｂに設定する。
【００２８】
このように、本実施の形態２によれば、各受信アンテナの設置環境に応じてパスサーチ処理による受信処理を行うか、固定パスによる受信処理を行うかを選択できるようにしたので、パスサーチ処理が不要な環境に設置された場合は、パスサーチが不要となった処理を他の処理、例えば収容チャネル数の増加、受信アンテナ数の増加、受信フィンガ数の増加等に利用できるようになる。
【００２９】
（実施の形態３）
図３は、本発明の実施の形態３に係る基地局受信装置の構成を示すブロック図である。なお、図３では、図２（実施の形態２）に示した構成要素と同一ないしは同等である構成要素には同一の符号が付されている。ここでは、本実施の形態３に関わる部分を中心に説明する。
【００３０】
図３に示す本実施の形態３に係る基地局受信装置３００では、図２（実施の形態２）に示した構成において、遅延プロファイルタイミング設定部３０１ａ、３０１ｂが追加されている。
【００３１】
遅延プロファイルタイミング設定部３０１ａには、パスサーチ部２０１ａにおいて遅延プロファイル生成に必要な受信アンテナ１０１ａの設置環境に応じた遅延プロファイルサンプリング間隔及び遅延プロファイル更新周期が予め設定されている。
【００３２】
遅延プロファイルタイミング設定部３０１ｂには、パスサーチ部２０１ｂにおいて遅延プロファイル生成に必要な受信アンテナ１０１ｂの設置環境に応じた遅延プロファイルサンプリング間隔及び遅延プロファイル更新周期が予め設定されている。
【００３３】
このように、本実施の形態３によれば、実施の形態２と同様の作用・効果が得られる。加えて、各受信アンテナの設置環境に応じて遅延プロファイルタイミングを制御するようにしたので、パスサーチ処理での処理量が削減できる。
【００３４】
（実施の形態４）
図４は、本発明の実施の形態４に係る基地局受信装置の構成を示すブロック図である。なお、図４では、図３（実施の形態３）に示した構成要素と同一ないしは同等である構成要素には同一の符号が付されている。ここでは、本実施の形態４に関わる部分を中心に説明する。
【００３５】
図４に示す本実施の形態４に係る基地局受信装置４００では、図３（実施の形態３）に示した構成において、設定値制御部４０１ａ、４０１ｂが追加されている。
【００３６】
設定値制御部４０１ａは、受信アンテナ１０１ａに関し、切り替えスイッチ部２０２ａに対してパスサーチ処理を行うか否かの設定、及びパスサーチ処理を行う場合の窓幅の設定を行うこと、遅延プロファイルタイミング設定部３０１ａに対してパスサーチ処理を行う場合の遅延プロファイルサンプリング間隔を設定すること、パスサーチ部２０１ａでのパスサーチ結果を保存すること、上記した各設定が行われていない場合に復調部１０４から得た現在の受信情報から各設定値を設定することを行う。
【００３７】
設定値制御部４０１ｂは、受信アンテナ１０１ｂに関し、切り替えスイッチ部２０２ｂに対してパスサーチ処理を行うか否かの設定、及びパスサーチ処理を行う場合の窓幅の設定を行うこと、遅延プロファイルタイミング設定部３０１ｂに対してパスサーチ処理を行う場合の遅延プロファイルサンプリング間隔を設定すること、パスサーチ部２０１ｂでのパスサーチ結果を保存すること、上記した各設定が行われていない場合に復調部１０４から得た現在の受信情報から各設定値を設定することを行う。
【００３８】
要するに、設定値制御部４０１ａ、４０１ｂは、各設定が行われていない場合に、切り替えスイッチ部２０２ａ、２０２ｂに対してパスサーチ処理を行うように設定し、パスサーチ部２０１ａ、２０１ｂを起動する。これによって、パスサーチ処理を用いた受信処理が行われる。
【００３９】
そして、設定値制御部４０１ａ、４０１ｂは、パスサーチ処理を用いた受信処理でのパス設定範囲、受信品質及びフェージング測定結果を保存し、この保存結果に基づき、切り替えスイッチ部２０２ａ、２０２ｂに対してパスサーチ処理を行うか否かの設定、及びパスサーチ処理を行う場合の窓幅の設定を行い、また遅延プロファイルタイミング設定部３０１ａ、３０１ｂに対してパスサーチ処理を行う場合の遅延プロファイルサンプリング間隔を設定する。
【００４０】
このように、本実施の形態４によれば、実施の形態３と同様の作用・効果が得られる。加えて、各受信アンテナの設置環境に応じたパスサーチ処理を行う場合の初期設定が行えるようにしたので、手作業による初期設定が不要となりメンテナンスの負担を軽減することができる。
【産業上の利用可能性】
【００４１】
本発明は、複数の受信アンテナを備える基地局において、各受信アンテナの設置環境に応じた受信処理を行うのに有用である。
【図面の簡単な説明】
【００４２】
【図１】本発明の実施の形態１に係る基地局受信装置の構成を示すブロック図
【図２】本発明の実施の形態２に係る基地局受信装置の構成を示すブロック図
【図３】本発明の実施の形態３に係る基地局受信装置の構成を示すブロック図
【図４】本発明の実施の形態４に係る基地局受信装置の構成を示すブロック図
【符号の説明】
【００４３】
１００、２００、３００、４００  基地局受信装置
１０１ａ、１０１ｂ  受信アンテナ
１０２ａ、１０２ｂ  伝搬遅延量メモリ
１０３ａ、１０３ｂ  逆拡散部
１０４  復調部
２０１ａ、２０１ｂ  パスサーチ部
２０２ａ、２０２ｂ  切り替えスイッチ部
３０１ａ、３０１ｂ  遅延プロファイルタイミング設定部
４０１ａ、４０１ｂ  設定値制御部
【図１】
2006148596.tif 000003
【図２】
2006148596.tif 000004
【図３】
2006148596.tif 000005
【図４】
2006148596.tif 000006